(57)【要約】【課題】ゴルフバッグ本体内へ収納した複数本のゴルフクラブをひとまとめにしてクラブ同士の干渉を防止することができるゴルフバッグを提供する。【解決手段】内部に複数本のゴルフクラブｂが収納されるゴルフバッグ本体１と、該ゴルフバッグ本体に設けて、このゴルフバッグ本体内の複数本のゴルフクラブをひとまとめに集束させる集束手段２とを備えさせたゴルフバッグＡにあって、集束手段は、可撓性を有する素材により上部に前記複数本のゴルフクラブの出入りができる開口６を設けた収納体７と、この収納体の開口の近傍において、該開口を閉塞させて複数本のゴルフクラブをひとまとめにする集束部材８とを有する。【選択図】    図１
0003103502.tif 000002
【実用新案登録請求の範囲】
【請求項１】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたことを特徴とするゴルフバッグ。
【請求項２】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有することを特徴とするゴルフバッグ。
【請求項３】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有し、
前記収納体の下側部は、前記ゴルフバッグ本体と伸縮部材により接続させて該ゴルフバッグ本体に対して昇降自在に設けたことを特徴とするゴルフバッグ。
【請求項４】
集束部材は、その端末部をゴルフバッグ本体の外側部へ突設させたことを特徴とする請求項１，２または３記載ゴルフバッグ。
【考案の詳細な説明】
【技術分野】
【０００１】
本考案は、ゴルフバッグ本体内へ収納した複数本のゴルフクラブをひとまとめにしてクラブ同士の干渉を防止することができるゴルフバッグに関する。
【背景技術】
【０００２】
従来、ゴルフバッグは、その本体内に設けた仕切り部材によっていくつかに区画された空間部へ複数本のゴルフクラブをその種類毎に差し込んで収容させていた（例えば、特許文献１参照）。
【０００３】
【特許文献１】特許第２７０３４９９号公報
【０００４】
このものは、仕切り部材によって区画された空間部へ、単にゴルフクラブが収容されているだけであるため、ゴルフバックの搬送等にあっては、このゴルフバックの振動や傾斜等のたびに、該ゴルフクラブのそれぞれが前記空間部内を不規則に移動して、それにより、クラブヘッド同士がゴルフバック内でぶつかることがまま生じ、これによって、ゴルフクラブを損傷させることがあった。
【考案の開示】
【考案が解決しようとする課題】
【０００５】
本考案は、前記した問題点を解決するためになされたもので、内部に複数本のゴルフクラブが収納されるゴルフバッグ本体と、該ゴルフバッグ本体に設けて、このゴルフバッグ本体内の複数本のゴルフクラブをひとまとめに集束させる集束手段とを備えさせたゴルフバッグにあって、集束手段は、可撓性を有する素材により上部に前記複数本のゴルフクラブの出入りができる開口を設けた収納体と、この収納体の開口の近傍において、該開口を閉塞させて複数本のゴルフクラブをひとまとめにする集束部材とを有することにより、ゴルフバッグ本体内へ収納した複数本のゴルフクラブをひとまとめにしてクラブ同士の干渉を防止することができるゴルフバッグを提供することを目的としている。
【課題を解決するための手段】
【０００６】
前記した目的を達成するための本考案は、
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグの構成にある。
【０００７】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有するゴルフバッグの構成にある。
【０００８】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有し、
前記収納体の下側部は、前記ゴルフバッグ本体と伸縮部材により接続させて該ゴルフバッグ本体に対して昇降自在に設けたゴルフバッグの構成にある。
【０００９】
集束部材は、その端末部をゴルフバッグ本体の外側部へ突設させる。
【考案の効果】
【００１０】
本考案は、ゴルフバッグ本体内へ収納した複数本のゴルフクラブをひとまとめにしてクラブ同士の干渉を防止することができるので、ゴルフバックの搬送等にあっては、このゴルフバックの振動や傾斜などがあっても、収容したゴルフクラブを損傷させることがない。
【考案を実施するための最良の形態】
【００１１】
次に、本考案に関するゴルフバッグの一実施例を図面に基づいて説明する。
図４〜図６においてＡはゴルフバッグで、内部に複数本のゴルフクラブｂが収納されるゴルフバッグ本体１と、該ゴルフバッグ本体１に設けて、このゴルフバッグ本体１内の複数本のゴルフクラブｂをひとまとめに集束させる集束手段２とにより基本的に構成される。
【００１２】
そして、前記したゴルフバッグ本体１は、底部３を有する筒状に形成されていて、上部の開口部４よりこの内部へ、各種のゴルフクラブｂが縦向きに多数収納される。
なお、ゴルフバッグ本体１の内部に、図３に示すような、円筒状の芯部材５を内装することで、該ゴルフバッグ本体の保形性と強度性が得られる。
【００１３】
前記した集束手段２は、例えば、図１〜図３に示すように、可撓性を有する素材、例えば、合成樹脂シートなどにより筒状や袋状に形成させて、上部に複数本のゴルフクラブｂの出入りができる開口６を設けた収納体７と、この収納体７の開口６の近傍において、該開口６を閉塞させて複数本のゴルフクラブｂをひとまとめにする集束部材８とを有する。
【００１４】
前記した収納体７は、ゴルフバッグ本体１内に内装された円筒状の芯部材５内へ挿嵌し得る円筒状に形成され、その下側部が開放状態（無底状態）に設けられるもので、芯部材５とほぼ同じ高さに設けられる。
また、ゴルフクラブｂがこの収納体７内に収納された際、そのゴルフクラブｂの下端（通常シャフトの外端部）ｂ１は、図１および図２に示すように、ゴルフバッグ本体１の底部３内に設けた受け部材９に当接して、その高さ方向において安定的に保持される。
【００１５】
前記した集束部材８は、可撓性を有する紐状に形成されていて、この集束部材８を括ることにより、円筒状に形成された収納体７の内径をつぼめる方向へ作用され、複数本のゴルフクラブｂをひとまとめに束ねることができる。そのため、バラバラに収容されていた該複数本のゴルフクラブｂは一つにまとまる。
なお、この集束部材８は、収納体７の開口６の近傍において、止めバンド１１に通しておけば、移動することがない。あるいは、集束部材８が通る連なった袋状等に形成することもできる。
【００１６】
更に、収納体７の下側部は、図１および図２に示すように、ゴルフバッグ本体１、すなわち、ゴルフバッグ本体１の底部３内に設けた受け部材９と伸縮部材１０により接続させてあり、該ゴルフバッグ本体１に対して昇降自在に設けられている。
これにより、収納体７が集束部材８によって括られたとき、該収納体７の高さ方向の縮み現象を生じても緊張することがなく、損傷のおそれがない。
この伸縮部材１０は、慣用のゴムバンドやばね部材などを用いることができる。
【００１７】
なお、前記した集束部材８は、その紐状の形成した該端末部を、図３〜図５に示すように、ゴルフバッグ本体１の外側部へ突設させることで、該ゴルフバッグ本体１の外部からゴルフクラブｂの集束操作を行える。
この場合、芯部材５の通孔１２を介して、ゴルフバッグ本体１外側部に設けられた通孔１３より外部へ引き出してある。
【００１８】
また、通孔１３より引き出した集束部材８は、図４および図５に示すように、ゴルフクラブｂの集束時に、その集束状態を保持させるストッパー１４を設けておくこともできる。
更に、この通孔１３より引き出した集束部材８は、図５に示すように、ゴルフバッグ本体１における背部収納部１ａ内に設けて、常時は蓋部材１５により被覆させておくこともできる。
【００１９】
したがって、前記したように本考案実施例のゴルフバッグＡは、ゴルフクラブｂのゴルフバッグ本体１への収納時には、該ゴルフバッグ本体１の開口部４および収納体７の開口６からゴルフクラブｂを入れれば、そのシャフト部ｂ１は、図１に示すように、ゴルフバッグ本体１底部の受け部材９に当たってその挿入位置が規制される。こうして、次々に、必要本数のゴルフクラブｂを入れれば、ランダム状態に収容体７内に納まるので、このゴルフクラブｂのゴルフバッグ本体１からの取り出しに際しては、自由に必要なものが外部へ抜き出せる。
【００２０】
そして、ゴルフ場の行き帰り時における移動（運搬）には、あらかじめ、集束手段２における集束部材８をゴルフバッグ本体１の外側部より引っ張って、ストッパー１４によりその集束位置を固定させれば、収納体７内に収納された複数本のゴルフクラブｂは、図２に示すように、該収納体７の開口６部付近においてそれぞれのゴルフクラブｂが個々に移動できないひとまとめの状態に集束される。
【００２１】
これにより、前記移動（運搬）にあっては、ゴルフバッグ本体１が振動したり傾斜などになっても、内部に収容された複数本のゴルフクラブｂは、それぞれが互いに干渉することなく一体の状態に保持される。
そのため、前記それぞれが互いに干渉することに起因するゴルフクラブｂの傷付き等の損傷が防止される。
【００２２】
また、ゴルフクラブｂの使用時にあっては、集束手段２におけるストッパー１４を解除すれば、収容体７の開口６部付近において、集束部材８によって括られた箇所は、自由に外方に広がり、ゴルフクラブｂが簡単にゴルフバッグ本体１内から取り出せる。
【００２３】
なお、図６におけるゴルフバッグＡは、集束手段２の他の変形例を示すもので、ゴルフバッグ本体１内に収納された複数本のゴルフクラブｂを集束する集束部材８は、ゴルフバッグ本体１内周部へ多数個により取り付けられたバンド状の伸縮自在（弾性を有する）の取付部材１６へ移動可能に通されている構成のものである。
【００２４】
この例にあっては、ゴルフバッグ本体１内への複数本のゴルフクラブｂの収納にあっては、集束部材８は、図６（ａ）に示すように、伸縮性を有する取付部材１６によって常時はゴルフバッグ本体１内壁側に押し広げられているので、ゴルフクラブｂの収納空間が大きく開けられていて容易に行える。
ゴルフ場の行き帰り時における移動（運搬）時には、ゴルフバッグ本体１に設けた通孔１３より突出している集束部材８の端末部を外方へ引っ張れば、ゴルフバッグ本体１内の集束部材８は取付部材１６の弾性力に抗して、図６（ｂ）に示すように、内方へ縮むため、複数本のゴルフクラブｂの外周部を押さえて括るので、該ゴルフクラブｂは、ひとつにまとめられる。
【００２５】
これにより、前記移動（運搬）にあっては、ゴルフバッグ本体１が振動したり傾斜などになっても、内部に収容された複数本のゴルフクラブｂは、それぞれが互いに干渉することなく一体の状態に保持される。
そのため、前記それぞれが互いに干渉することに起因するゴルフクラブｂの傷付き等の損傷が防止される。
【００２６】
なお、この例にあっては、図示してないが、図１等に示す収納体７を取付部材１６の前側部（内方）へ取り付けてもよく、複数本のゴルフクラブｂはこの収納体内に全て納まるように設けられる。
【図面の簡単な説明】
【００２７】
【図１】本考案に関するゴルフバッグにおけるゴルフバッグ本体を省略して示す斜視図である。
【図２】図１におけるゴルフバッグの集束部材を操作して状態を示す斜視図である。
【図３】図２におけるゴルフバッグの収納体を芯部材へ挿入させる状態を示す斜視図である。
【図４】本考案に関するゴルフバッグの一実施例を示す斜視図である。
【図５】図４におけるゴルフバッグにおいて集束部材の他の取り出し例を示す斜視図である。
【図６】本考案に関するゴルフバッグの集束手段の他のを示す断面図で、（ａ）は集束前を、（ｂ）は集束後をそれぞれ示す。
【符号の説明】
【００２８】
Ａ…ゴルフバッグ．ｂ…ゴルフクラブ．１…ゴルフバッグ本体．２…集束手段．６…開口．７…収納体．８…集束部材．１０…伸縮部材．
【図１】
0003103502.tif 000003
【図２】
0003103502.tif 000004
【図３】
0003103502.tif 000005
【図４】
0003103502.tif 000006
【図５】
0003103502.tif 000007
【図６】
0003103502.tif 000008
【手続補正書】
【提出日】平成16年3月16日(2004.3.16)
【手続補正１】
【補正対象書類名】実用新案登録請求の範囲
【補正対象項目名】全文
【補正方法】変更
【補正の内容】
【実用新案登録請求の範囲】
【請求項１】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、ゴルフバック本体内周部へ多数個取り付けられた伸縮性を有する取付部材と、この取付部材へ移動可能に通された集束部材とを有することを特徴とするゴルフバッグ。
【請求項２】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有することを特徴とするゴルフバッグ。
【請求項３】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有し、
前記収納体の下側部は、前記ゴルフバッグ本体と伸縮部材により接続させて該ゴルフバッグ本体に対して昇降自在に設けたことを特徴とするゴルフバッグ。
【請求項４】
集束部材は、その端末部をゴルフバッグ本体の外側部へ突設させたことを特徴とする請求項１，２または３記載ゴルフバッグ。
【手続補正２】
【補正対象書類名】明細書
【補正対象項目名】全文
【補正方法】変更
【補正の内容】
【考案の詳細な説明】
【技術分野】
【０００１】
本考案は、ゴルフバッグ本体内へ収納した複数本のゴルフクラブをひとまとめにしてクラブ同士の干渉を防止することができるゴルフバッグに関する。
【背景技術】
【０００２】
従来、ゴルフバッグは、その本体内に設けた仕切り部材によっていくつかに区画された空間部へ複数本のゴルフクラブをその種類毎に差し込んで収容させていた（例えば、特許文献１参照）。
【０００３】
【特許文献１】特許第２７０３４９９号公報
【０００４】
このものは、仕切り部材によって区画された空間部へ、単にゴルフクラブが収容されているだけであるため、ゴルフバックの搬送等にあっては、このゴルフバックの振動や傾斜等のたびに、該ゴルフクラブのそれぞれが前記空間部内を不規則に移動して、それにより、クラブヘッド同士がゴルフバック内でぶつかることがまま生じ、これによって、ゴルフクラブを損傷させることがあった。
【考案の開示】
【考案が解決しようとする課題】
【０００５】
本考案は、前記した問題点を解決するためになされたもので、内部に複数本のゴルフクラブが収納されるゴルフバッグ本体と、該ゴルフバッグ本体に設けて、このゴルフバッグ本体内の複数本のゴルフクラブをひとまとめに集束させる集束手段とを備えさせたゴルフバッグにあって、集束手段は、可撓性を有する素材により上部に前記複数本のゴルフクラブの出入りができる開口を設けた収納体と、この収納体の開口の近傍において、該開口を閉塞させて複数本のゴルフクラブをひとまとめにする集束部材とを有することにより、ゴルフバッグ本体内へ収納した複数本のゴルフクラブをひとまとめにしてクラブ同士の干渉を防止することができるゴルフバッグを提供することを目的としている。
【課題を解決するための手段】
【０００６】
前記した目的を達成するための本考案は、
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、ゴルフバック本体内周部へ多数個取り付けられた伸縮性を有する取付部材と、この取付部材へ移動可能に通された集束部材とを有するゴルフバッグの構成にある。
【０００７】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有するゴルフバッグの構成にある。
【０００８】
内部に複数本のゴルフクラブが収納されるゴルフバッグ本体と、該ゴルフバッグ本体に設けて、このゴルフバッグ本体内の前記複数本のゴルフクラブをひとまとめに集束させる集束手段とを備えさせたゴルフバッグにあって、
前記集束手段は、可撓性を有する素材により上部に前記複数本のゴルフクラブの出入りができる開口を設けた収納体と、
この収納体の開口の近傍において、該開口を閉塞させて前記複数本のゴルフクラブをひとまとめにする集束部材とを有し、
前記収納体の下側部は、前記ゴルフバッグ本体と伸縮部材により接続させて該ゴルフバッグ本体に対して昇降自在に設けたゴルフバッグの構成にある。
【０００９】
集束部材は、その端末部をゴルフバッグ本体の外側部へ突設させる。
【考案の効果】
【００１０】
本考案は、ゴルフバッグ本体内へ収納した複数本のゴルフクラブをひとまとめにしてクラブ同士の干渉を防止することができるので、ゴルフバックの搬送等にあっては、このゴルフバックの振動や傾斜などがあっても、収容したゴルフクラブを損傷させることがない。
【考案を実施するための最良の形態】
【００１１】
次に、本考案に関するゴルフバッグの一実施例を図面に基づいて説明する。
図４〜図６においてＡはゴルフバッグで、内部に複数本のゴルフクラブｂが収納されるゴルフバッグ本体１と、該ゴルフバッグ本体１に設けて、このゴルフバッグ本体１内の複数本のゴルフクラブｂをひとまとめに集束させる集束手段２とにより基本的に構成される。
【００１２】
そして、前記したゴルフバッグ本体１は、底部３を有する筒状に形成されていて、上部の開口部４よりこの内部へ、各種のゴルフクラブｂが縦向きに多数収納される。
なお、ゴルフバッグ本体１の内部に、図３に示すような、円筒状の芯部材５を内装することで、該ゴルフバッグ本体の保形性と強度性が得られる。
【００１３】
前記した集束手段２は、例えば、図１〜図３に示すように、可撓性を有する素材、例えば、合成樹脂シートなどにより筒状や袋状に形成させて、上部に複数本のゴルフクラブｂの出入りができる開口６を設けた収納体７と、この収納体７の開口６の近傍において、該開口６を閉塞させて複数本のゴルフクラブｂをひとまとめにする集束部材８とを有する。
【００１４】
前記した収納体７は、ゴルフバッグ本体１内に内装された円筒状の芯部材５内へ挿嵌し得る円筒状に形成され、その下側部が開放状態（無底状態）に設けられるもので、芯部材５とほぼ同じ高さに設けられる。
また、ゴルフクラブｂがこの収納体７内に収納された際、そのゴルフクラブｂの下端（通常シャフトの外端部）ｂ１は、図１および図２に示すように、ゴルフバッグ本体１の底部３内に設けた受け部材９に当接して、その高さ方向において安定的に保持される。
【００１５】
前記した集束部材８は、可撓性を有する紐状に形成されていて、この集束部材８を括ることにより、円筒状に形成された収納体７の内径をつぼめる方向へ作用され、複数本のゴルフクラブｂをひとまとめに束ねることができる。そのため、バラバラに収容されていた該複数本のゴルフクラブｂは一つにまとまる。
なお、この集束部材８は、収納体７の開口６の近傍において、止めバンド１１に通しておけば、移動することがない。あるいは、集束部材８が通る連なった袋状等に形成することもできる。
【００１６】
更に、収納体７の下側部は、図１および図２に示すように、ゴルフバッグ本体１、すなわち、ゴルフバッグ本体１の底部３内に設けた受け部材９と伸縮部材１０により接続させてあり、該ゴルフバッグ本体１に対して昇降自在に設けられている。
これにより、収納体７が集束部材８によって括られたとき、該収納体７の高さ方向の縮み現象を生じても緊張することがなく、損傷のおそれがない。
この伸縮部材１０は、慣用のゴムバンドやばね部材などを用いることができる。
【００１７】
なお、前記した集束部材８は、その紐状の形成した該端末部を、図３〜図５に示すように、ゴルフバッグ本体１の外側部へ突設させることで、該ゴルフバッグ本体１の外部からゴルフクラブｂの集束操作を行える。
この場合、芯部材５の通孔１２を介して、ゴルフバッグ本体１外側部に設けられた通孔１３より外部へ引き出してある。
【００１８】
また、通孔１３より引き出した集束部材８は、図４および図５に示すように、ゴルフクラブｂの集束時に、その集束状態を保持させるストッパー１４を設けておくこともできる。
更に、この通孔１３より引き出した集束部材８は、図５に示すように、ゴルフバッグ本体１における背部収納部１ａ内に設けて、常時は蓋部材１５により被覆させておくこともできる。
【００１９】
したがって、前記したように本考案実施例のゴルフバッグＡは、ゴルフクラブｂのゴルフバッグ本体１への収納時には、該ゴルフバッグ本体１の開口部４および収納体７の開口６からゴルフクラブｂを入れれば、そのシャフト部ｂ１は、図１に示すように、ゴルフバッグ本体１底部の受け部材９に当たってその挿入位置が規制される。こうして、次々に、必要本数のゴルフクラブｂを入れれば、ランダム状態に収容体７内に納まるので、このゴルフクラブｂのゴルフバッグ本体１からの取り出しに際しては、自由に必要なものが外部へ抜き出せる。
【００２０】
そして、ゴルフ場の行き帰り時における移動（運搬）には、あらかじめ、集束手段２における集束部材８をゴルフバッグ本体１の外側部より引っ張って、ストッパー１４によりその集束位置を固定させれば、収納体７内に収納された複数本のゴルフクラブｂは、図２に示すように、該収納体７の開口６部付近においてそれぞれのゴルフクラブｂが個々に移動できないひとまとめの状態に集束される。
【００２１】
これにより、前記移動（運搬）にあっては、ゴルフバッグ本体１が振動したり傾斜などになっても、内部に収容された複数本のゴルフクラブｂは、それぞれが互いに干渉することなく一体の状態に保持される。
そのため、前記それぞれが互いに干渉することに起因するゴルフクラブｂの傷付き等の損傷が防止される。
【００２２】
また、ゴルフクラブｂの使用時にあっては、集束手段２におけるストッパー１４を解除すれば、収容体７の開口６部付近において、集束部材８によって括られた箇所は、自由に外方に広がり、ゴルフクラブｂが簡単にゴルフバッグ本体１内から取り出せる。
【００２３】
なお、図６におけるゴルフバッグＡは、集束手段２の他の変形例を示すもので、ゴルフバッグ本体１内に収納された複数本のゴルフクラブｂを集束する集束部材８は、ゴルフバッグ本体１内周部へ多数個により取り付けられたバンド状の伸縮自在（弾性を有する）の取付部材１６へ移動可能に通されている構成のものである。
【００２４】
この例にあっては、ゴルフバッグ本体１内への複数本のゴルフクラブｂの収納にあっては、集束部材８は、図６（ａ）に示すように、伸縮性を有する取付部材１６によって常時はゴルフバッグ本体１内壁側に押し広げられているので、ゴルフクラブｂの収納空間が大きく開けられていて容易に行える。
ゴルフ場の行き帰り時における移動（運搬）時には、ゴルフバッグ本体１に設けた通孔１３より突出している集束部材８の端末部を外方へ引っ張れば、ゴルフバッグ本体１内の集束部材８は取付部材１６の弾性力に抗して、図６（ｂ）に示すように、内方へ縮むため、複数本のゴルフクラブｂの外周部を押さえて括るので、該ゴルフクラブｂは、ひとつにまとめられる。
【００２５】
これにより、前記移動（運搬）にあっては、ゴルフバッグ本体１が振動したり傾斜などになっても、内部に収容された複数本のゴルフクラブｂは、それぞれが互いに干渉することなく一体の状態に保持される。
そのため、前記それぞれが互いに干渉することに起因するゴルフクラブｂの傷付き等の損傷が防止される。
【００２６】
なお、この例にあっては、図示してないが、図１等に示す収納体７を取付部材１６の前側部（内方）へ取り付けてもよく、複数本のゴルフクラブｂはこの収納体内に全て納まるように設けられる。
【図面の簡単な説明】
【００２７】
【図１】本考案に関するゴルフバッグにおけるゴルフバッグ本体を省略して示す斜視図である。
【図２】図１におけるゴルフバッグの集束部材を操作して状態を示す斜視図である。
【図３】図２におけるゴルフバッグの収納体を芯部材へ挿入させる状態を示す斜視図である。
【図４】本考案に関するゴルフバッグの一実施例を示す斜視図である。
【図５】図４におけるゴルフバッグにおいて集束部材の他の取り出し例を示す斜視図である。
【図６】本考案に関するゴルフバッグの集束手段の他のを示す断面図で、（ａ）は集束前を、（ｂ）は集束後をそれぞれ示す。
【符号の説明】
【００２８】
Ａ…ゴルフバッグ．ｂ…ゴルフクラブ．１…ゴルフバッグ本体．２…集束手段．６…開口．７…収納体．８…集束部材．１０…伸縮部材．